(57)【要約】【課題】紙管を芯体として外周面に研磨材を有する研磨用具での外周面で研磨材の目が研磨粉で目詰まりし難くなるようにし、紙管を芯体とする簡易な構成の筒状研磨用具を提供する。【解決手段】芯材２の周壁４にこの周壁４の周方向にして複数の透孔５を備え、周壁４の外周面に研磨材が設けられ、芯材２の一端部を閉じ、他端部側に管状にして吸引手段への拡縮可能な接続口７を有する握りカバー３を備え、透孔５から芯材２の内部を通して研磨粉を吸引可能な構成とした。【選択図】図１
0003168132.tif 000002
【実用新案登録請求の範囲】
【請求項１】
紙管からなる芯材の周壁にこの周壁の周方向にして複数の透孔を開け、前記周壁の外周面に研磨材が設けられていて、芯材の一端部が閉じられているとともに、他端部側に吸引口を対応させて他端部を塞ぐ閉鎖面部を有して芯材の周壁の一部分を包被して握り面部を形成する握りカバーを備えており、前記握りカバーの吸引口に、管状にして吸引手段への拡縮可能な接続口が連通し、前記透孔から芯材内部を通して研磨粉を吸引排出可能な構成としたことを特徴とする筒状研磨用具。
【考案の詳細な説明】
【技術分野】
【０００１】
本考案は芯材を紙管とした筒状の研磨用具に関するものである。
【背景技術】
【０００２】
従来から木工加工製品などでのバリ取りや面取り、表面仕上げは紙やすりを用いて行われている。そして、木工加工に限るものではないが、大規模工場などでの建材の仕上げ加工においては、平たい補助板を紙やすりに裏当てして研磨作業ができる用具を利用しており、研磨粉が紙やすりの研磨面に目詰まりを起こし易くなるため、紙やすりとその裏当て材とに複数の孔を開け、研磨面側で生じる研磨粉をバキューム吸引することができる研磨用具が、例えば特許文献１に提案されている。
【０００３】
また、木工品として組み上げられた製品、例えば椅子、家具などに対する研磨作業は作業者が手の感触を頼りに表面を削る作業が大半であり、木工加工での研磨用具としては作業者が片手持ちできる取り扱い容易なものが望まれている。その一種として、角筒状の用具本体の平たい側面に研磨材を設けるとともに、側面と側面との間に用具本体の内部に連通する隙間を開け、用具本体に接続するバキューム手段で、研磨時に生じる研磨粉を隙間を介して吸引できるようにした工夫が、特許文献２に示されている。
【０００４】
さらに、円柱体を芯体としてこれに紙やすりを巻き付けて研磨することも行なわれており、研磨対象品の曲面を仕上げるに適した用具として利用される。なお、木工品が研磨する対象ではないが、紙管の外周面に研磨材を施して猫用の爪研ぎ具が特許文献３に示されており、このような紙管の外周面に研磨材を施したものを研磨用具とすれば、軽量であって研磨作業での取り扱いが頗る良好になると考えられている。
【先行技術文献】
【特許文献】
【０００５】
【特許文献１】特開平０８−２９００９１号公報
【特許文献２】登録実用新案第３０２７０９０号公報
【特許文献３】登録実用新案第３１５４５９９号公報
【考案の概要】
【考案が解決しようとする課題】
【０００６】
上述した紙管の外周面に研磨材を施した構成のものを研磨用具にしてこれを研磨作業に使用した場合、上記円柱体に紙やすりを巻いて研磨する場合と同様にやはり研磨材の目が研磨粉で目詰まりし易いと考えられる。しかし、前記円柱体を芯体としたものでは目詰まりが進んだとしてもある程度の力を入れ続けていけば、研磨を行なうことができるものであるが、一方、紙管を芯体としているものでは作業者の力の入れ具合で紙管そのものが壊れてしまう。そのため、研磨用具のとして寿命が短いと考えられることから、安価で取り扱い容易であるメリットを活かせないという問題がある。
【０００７】
そこで、本考案は上記事情に鑑み、紙管を芯体として外周面に研磨材を有する研磨用具での外周面で研磨材の目が研磨粉で目詰まりし難くなるようにすることを課題とし、紙管を芯体とする簡易な構成の筒状研磨用具を提供することを目的とする。
【課題を解決するための手段】
【０００８】
本考案は上記課題を考慮してなされたもので、紙管からなる芯材の周壁にこの周壁の周方向にして複数の透孔を開け、前記周壁の外周面に研磨材が設けられていて、芯材の一端部が閉じられているとともに、他端部側に吸引口を対応させて他端部を塞ぐ閉鎖面部を有して芯材の周壁の一部分を包被して握り面部を形成する握りカバーを備えており、前記握りカバーの吸引口に、管状にして吸引手段への拡縮可能な接続口が連通し、前記透孔から芯材内部を通して研磨粉を吸引排出可能な構成としたことを特徴とする筒状研磨用具を提供して、上記課題を解消するものである。
【考案の効果】
【０００９】
本考案によれば、芯材の周壁の周方向にして複数の透孔が設けられていることから、研磨によって研磨粉が生じたとしても、研磨面側で生じる前記研磨粉を透孔を介して吸引によりその研磨面側から取り除くことができて、研磨材の目詰まりを防止することができるという効果を奏する。また、簡易な構成であるために一般的な掃除機の吸引ホースを接続口に繋いで吸引させることで、研磨面で生じる研磨粉を吸い取ることができ、研磨作業を学校の技術系工作室などにあるような塵芥吸引設備の下での作業とせずとも、一般的な居室、例えば学校の通常の教室で、物作りの実習でこの研磨用具に一般的な掃除機を接続しながら研磨作業を行なうようにしても簡単に研磨粉の飛散を防止できる。よって、研磨に際しての削りかす、研磨粉などの浮遊粉塵による呼吸器などへの悪影響を防ぐことができる。この点は一般家庭などで本研磨用具を一般掃除機に接続して吸引させながら研磨を行なうようにする場合でも同様の効果がある。
【図面の簡単な説明】
【００１０】
【図１】本考案に係る筒状研磨用具の実施の形態を示す説明図である。
【図２】他の実施の形態を示す説明図である。
【図３】同じく他の実施の形態を示す説明図である。
【考案を実施するための形態】
【００１１】
つぎに本考案を図示の実施の形態に基づいて詳細に説明する。
図１は筒状研磨用具で、該筒状研磨用具１は図示するように紙管からなる芯体２と、この芯体２の端部に接続されて人が直接に握り持つことのできる太さとした握りカバー３とからなるものである。そして、前記芯体２は周壁４にこの周壁４の周方向にして複数の透孔５が開口され、さらに透孔５の部分を除く周壁４の外周面４ａに研磨材が施されて円筒状の研磨面６が形成されている。
【００１２】
芯体２の上記握りカバー３とは反対側の端部はシリコン樹脂製の閉鎖板７によって閉じられている。そして、握りカバー３は前記閉鎖板７と同様にシリコン樹脂製にして管状に形成されており、握りカバー３の一方の管状部分を芯体２の端部に嵌め付け、その握りカバー３の閉鎖面部３ａが芯体２の端部に相対させることで上述のように芯体２と握りカバー３とが接続されていて、前記握りカバー３における閉鎖面部３ａに配された吸引口３ｂが芯体２の内部に臨むように対応配置される。また、握りカバー３の閉鎖面部３ａの外面から外方に突出する筒状にして前記吸引口３ｂに連通する接続口８が一体に設けられており、この接続口８は拡縮可能とされていて、図示しない吸引手段への接続部分として形成され、図示のように例えば前記接続口８に吸引手段からの柔軟なバキュームパイプ９が接続される。
【００１３】
以上のように、筒状研磨用具１では、芯体２の周壁４に複数の透孔５を備え、握りカバー３の接続口８に接続したバキュームパイプからの吸引を行なうことで、前記透孔５から芯体２の周りの空気を吸い入れてその芯体２の内部を通して空気を吸引元側に送り出すことができるようになっており、研磨時に前記吸引を行なうことで、研磨面側で生じた研磨粉を透孔５から芯材２内部を通して吸引排出できることとなり、研磨面での目詰まりを抑えることができる。
【００１４】
上記実施の形態の説明においては芯体２を丸紙管からなるものとして図示しているが、本考案は芯体２が円筒形に限定されるものではなく、例えば図２に示されるように芯体２を断面形状が半円形の紙管を用いてなるものとしたり、角紙管を用いたものであってもよい。さらに図３では芯体２を角紙管からなる実施の形態を示していて、この実施の形態に示すように握りカバー３で芯体２の周壁の一部分としてほぼその三面を覆う形態とし、閉鎖板７も握りカバー３に一体としている。即ち、握りカバー３は研磨面６に握り手が直接触れ難くする役割を果たすものであり、形状自体は限定されないものである。
【符号の説明】
【００１５】
１…研磨用具
２…芯体
３…握りカバー
３ａ…閉鎖面部
３ｂ…吸引口
４…周壁
４ａ…外周面
５…透孔
６…研磨面
７…閉鎖板
８…接続口
９…バキュームパイプ
【図１】
0003168132.tif 000003
【図２】
0003168132.tif 000004
【図３】
0003168132.tif 000005